(57)【要約】【課題】既存のオペレーティングシステムが用いられている場合であっても１台のコンピュータをユーザに合わせて使うことができるようにする【解決手段】コンピュータは、所定の処理を、デフォルトデータディレクトリ６Ｆに記憶されているユーザファイル５Ｕに基づいて実行する。ユーザ別設定値ディレクトリ６Ｋをユーザごとに１つずつ設けておき、それぞれに、各人の真ユーザファイル５ＵＳを記憶させておく。そして、ユーザコードの入力を受け付ける処理、および、このユーザコードに対応するユーザ別設定値ディレクトリ６Ｋに記憶されている真ユーザファイル５ＵＳをデフォルトデータディレクトリ６Ｆに書き込む処理を、コンピュータに実行させる。【選択図】図５
2014056538.tif 000002
【特許請求の範囲】
【請求項１】
所定の記憶領域に記憶されている設定に関するデータである標準設定データに基づいて所定の処理を実行し、かつ、ユーザごとに個別の設定に関するデータである個別設定データを当該ユーザの識別子と対応付けて記憶する個別設定データ記憶手段にアクセスする、携帯情報端末であって、
前記識別子を受け付ける受付手段と、
前記受け付けられた識別子に対応付けられて前記個別設定データ記憶手段に記憶されている前記個別設定データを、前記標準設定データとして前記所定の記憶領域に記憶させる、変更手段と、
を有することを特徴とする携帯情報端末。
【請求項２】
他の装置から受信したデータを所定の記憶領域に記憶させる携帯情報端末であって、
ユーザの識別子を受け付ける受付手段と、
所定のコマンドが入力された際に、前記所定の記憶領域に記憶されている前記データを前記受付手段によって受け付けられた前記識別子に対応する個人用の記憶領域へ移動させる移動処理手段と、
を有することを特徴とする携帯情報端末。
【請求項３】
所定の記憶領域に記憶されている送信用のデータを他の装置からの要求に基づいて送信する、携帯情報端末であって、
ユーザの識別子を受け付ける受付手段と、
前記受付手段によって受け付けられた前記識別子に対応する個人用の記憶領域に記憶されているデータを前記送信用のデータとして前記所定の記憶領域に記憶させる記憶処理手段と、
所定のコマンドが入力された際に、前記所定の記憶領域から前記送信用データを削除する削除処理手段と、
を有することを特徴とするコンピュータプログラム。
【請求項４】
画像形成装置と携帯情報端末とを有する情報管理システムであって、
前記画像形成装置は、
前記携帯情報端末が管理する所定の記憶領域へ宛ててデータを送信する送信手段、
を有し、
前記携帯情報端末は、
前記携帯情報端末から受信した前記データを前記所定の記憶領域に記憶させる記憶処理手段と、
ユーザの識別子を受け付ける受付手段と、
所定のコマンドが入力された際に、前記所定の記憶領域に記憶されている前記データを前記受付手段によって受け付けられた前記識別子に対応する個人用の記憶領域へ移動させる移動処理手段と、
を有する、
ことを特徴とする情報管理システム。
【請求項５】
携帯情報端末と、前記携帯情報端末が管理する所定の記憶領域へのアクセスが可能である画像形成装置と、を有する情報管理システムであって、
前記携帯情報端末は、
ユーザの識別子を受け付ける受付手段と、
前記受付手段によって受け付けられた前記識別子に対応する個人用の記憶領域に記憶されているデータを前記所定の記憶領域に記憶させる記憶処理手段と、
を有し、
前記画像形成装置は、
前記所定の記憶領域から前記データを取得するデータ取得手段、
を有し、
前記携帯情報端末は、さらに、
所定のコマンドが入力された際に、前記所定の記憶領域から前記送信用データを削除する削除処理手段、
を有する、
ことを特徴とする情報管理システム。
【請求項６】
所定の記憶領域に記憶されている設定に関するデータである標準設定データに基づいて所定の処理を実行し、かつ、ユーザごとに個別の設定に関するデータである個別設定データを当該ユーザの識別子と対応付けて記憶する個別設定データ記憶手段にアクセスする、携帯情報端末に、
前記識別子を受け付ける受付処理と、
前記受け付けた識別子に対応付けられて前記個別設定データ記憶手段に記憶されている前記個別設定データを、前記標準設定データとして前記所定の記憶領域に記憶させる、変更処理と、
を実行させる、
ことを特徴とするコンピュータプログラム。
【請求項７】
前記所定の記憶領域には、前記標準設定データとして予め一時設定データが記憶されており、
前記受付処理を、オペレーティングシステムの起動の際に実行させ、
前記変更処理を、前記一時設定データを退避用の記憶領域に移動させた後に実行させる、
請求項６に記載のコンピュータプログラム。
【請求項８】
前記所定の処理は、複数のアプリケーションのうちの１つを選択するための画面である選択画面を表示する処理であって、前記変更処理の後に実行される、
請求項６または請求項７に記載のコンピュータプログラム。
【請求項９】
所定のコマンドが入力された場合に、前記複数のアプリケーションのうちのいずれかが起動されているのであれば当該起動されているアプリケーションを終了させる終了処理を、前記携帯情報端末に実行させ、
前記所定の記憶領域から前記個別設定データを削除し、前記退避用の記憶領域に記憶されている前記標準設定データを前記所定の記憶領域に記憶させる復元処理を、前記携帯情報端末に実行させ、
前記復元処理の後、前記受付処理を前記携帯情報端末に実行させる、
請求項６ないし請求項８のいずれかに記載のコンピュータプログラム。
【請求項１０】
前記受付処理は、入力用の画面である入力画面をディスプレイに表示し、入力された情報を前記識別子として受け付ける処理である、
請求項６ないし請求項９のいずれかに記載のコンピュータプログラム。
【請求項１１】
前記変更処理として、前記個別設定データそのものの代わりに当該個別設定データのシンボリックリンクを前記所定の記憶領域に記憶させる処理を、前記携帯情報端末に実行させる、
請求項６ないし請求項１０のいずれかに記載のコンピュータプログラム。
【請求項１２】
他の装置から受信したデータを所定の記憶領域に記憶する携帯情報端末に、
ユーザの識別子を受け付ける受付処理を実行させ、
所定のコマンドが入力された際に、前記所定の記憶領域に記憶されている前記データを前記受け付けた識別子に対応する個人用の記憶領域へ移動させる移動処理を実行させる、
ことを特徴とするコンピュータプログラム。
【請求項１３】
所定の記憶領域に記憶されている送信用のデータを他の装置からの要求に基づいて送信する、携帯情報端末に、
ユーザの識別子を受け付ける受付処理を実行させ、
前記受け付けた識別子に対応する個人用の記憶領域に記憶されているデータを前記送信用のデータとして前記所定の記憶領域に記憶させる送信準備処理を実行させ、
所定のコマンドが入力された際に、前記所定の記憶領域から前記送信用データを削除する削除処理を実行させる、
ことを特徴とするコンピュータプログラム。
【発明の詳細な説明】
【技術分野】
【０００１】
本発明は、タブレット型のコンピュータなどをユーザごとに応じた環境に合わせて使用する技術に関する。
【背景技術】
【０００２】
近年、タブレット型のコンピュータ（以下、「タブレットコンピュータ」と記載する。）が普及している。タブレットコンピュータのハードウェアは、スマートフォンと共通するものが多い。よって、スマートフォンのオペレーティングシステムがタブレットコンピュータにおいても使用される場合が多い。例えば、グーグル社のＡｎｄｒｏｉｄおよびアップル社のｉＯＳは、スマートフォンでもタブレットコンピュータでも使用されている。
【０００３】
タブレットコンピュータは、スマートフォンよりも筐体のサイズが大きいので、職場および家庭において複数のユーザによって共用されることがある。
【０００４】
しかし、上述の既存のオペレーティングシステムは、設定に関するデータ、いわゆるユーザプロファイルを、ユーザごとに用意し使い分けることが、できない。
【０００５】
複数のユーザがタブレットコンピュータを共用する場合は、ユーザごとにユーザプロファイルを用意し使い分けることが求められる。
【０００６】
携帯電話端末などの可搬型の装置の環境をユーザごとに設定する方法は、幾つか提案されている（特許文献１、２参照）。または、パーソナルコンピュータ用のオペレーティングシステムをインストールすることができるタブレットコンピュータであれば、これをインストールすれば、ユーザごとにユーザプロファイルを用意し使い分けることができる。
【先行技術文献】
【特許文献】
【０００７】
【特許文献１】特開２００９−２５３６４１号公報
【特許文献２】特開２００６−３２４９５０号公報
【発明の概要】
【発明が解決しようとする課題】
【０００８】
タブレットコンピュータのユーザのほとんどは、既にインストールされているオペレーティングシステムを使用することを望んでいる。なぜなら、このオペレーティングシステムは機能性が高く、使用することができるアプリケーションが豊富だからである。
【０００９】
しかし、従来の方法によると、オペレーティングシステムを一から作成しなければならない。または、パーソナルコンピュータに対応したアプリケーションを使用することができても、タブレットコンピュータにフィットしたアプリケーションを使用することができない。
【００１０】
本発明は、このような問題点に鑑み、既存のオペレーティングシステムが用いられている場合であっても１台のコンピュータをユーザに合わせて使うことができるようにすることを、目的とする。
【課題を解決するための手段】
【００１１】
本発明の一形態に係るコンピュータプログラムは、所定の記憶領域に記憶されている設定に関するデータである標準設定データに基づいて所定の処理を実行し、かつ、ユーザごとに個別の設定に関するデータである個別設定データを当該ユーザの識別子と対応付けて記憶する個別設定データ記憶手段にアクセスする、コンピュータに、前記識別子を受け付ける受付処理と、前記受け付けた識別子に対応付けられて前記個別設定データ記憶手段に記憶されている前記個別設定データを、前記標準設定データとして前記所定の記憶領域に記憶させる、変更処理と、を実行させる。
【００１２】
好ましくは、前記所定の記憶領域には、前記標準設定データとして予め一時設定データが記憶されており、前記受付処理を、オペレーティングシステムの起動の際に実行させ、前記変更処理を、前記一時設定データを退避用の記憶領域に移動させた後に実行させる。
【００１３】
または、前記所定の処理は、複数のアプリケーションのうちの１つを選択するための画面である選択画面を表示する処理であって、前記変更処理の後に実行される。
【００１４】
または、所定のコマンドが入力された場合に、前記複数のアプリケーションのうちのいずれかが起動されているのであれば当該起動されているアプリケーションを終了させる終了処理を、前記コンピュータに実行させ、前記所定の記憶領域から前記個別設定データを削除し、前記退避用の記憶領域に記憶されている前記標準設定データを前記所定の記憶領域に記憶させる復元処理を、前記コンピュータに実行させ、前記復元処理の後、前記受付処理を前記コンピュータに実行させる。
【００１５】
または、前記受付処理は、入力用の画面である入力画面をディスプレイに表示し、入力された情報を前記識別子として受け付ける処理である。
【００１６】
または、前記変更処理として、前記個別設定データそのものの代わりに当該個別設定データのシンボリックリンクを前記所定の領域に記憶させる処理を、前記コンピュータに実行させる。
【００１７】
本発明の他の形態に係るコンピュータプログラムは、他の装置から受信したデータを所定の記憶領域に記憶するコンピュータに、ユーザの識別子を受け付ける受付処理を実行させ、所定のコマンドが入力された際に、前記所定の記憶領域に記憶されている前記データを前記受け付けた識別子に対応する個人用の記憶領域へ移動させる移動処理を実行させる。
【００１８】
本発明の他の形態に係るコンピュータプログラムは、所定の記憶領域に記憶されている送信用のデータを他の装置からの要求に基づいて送信する、コンピュータに、ユーザの識別子を受け付ける受付処理を実行させ、前記受け付けた識別子に対応する個人用の記憶領域に記憶されているデータを前記送信用のデータとして前記所定の記憶領域に記憶させる送信準備処理を実行させ、所定のコマンドが入力された際に、前記所定の記憶領域から前記送信用データを削除する削除処理を実行させる。
【発明の効果】
【００１９】
本発明によると、既存のオペレーティングシステムが用いられている場合であっても１台のコンピュータをユーザに合わせて使うことができる。
【図面の簡単な説明】
【００２０】
【図１】イントラネットの全体的な構成の例を示す図である。
【図２】タブレットコンピュータのハードウェア構成の例を示す図である。
【図３】タブレットコンピュータの機能的構成の例を示す図である。
【図４】画像形成装置のハードウェア構成の例を示す図である。
【図５】フラッシュメモリのディレクトリの構造の例を示す図である。
【図６】ユーザファイルの例を示す図である。
【図７】標準ホーム画面の例を示す図である。
【図８】ログイン画面の例を示す図である。
【図９】ファイルシステム、オペレーティングシステム、およびユーザ切換管理プログラムによる処理の流れの例を説明するシーケンス図である。
【図１０】ファイルシステム、オペレーティングシステム、およびユーザ切換管理プログラムによる処理の流れの例を説明するシーケンス図である。
【図１１】標準ホーム画面にシステム設定データを適用した例を示す図である。
【図１２】ログアウト画面の例を示す図である。
【図１３】ユーザ切換管理プログラムに基づく処理の流れの例を示すフローチャートである。
【図１４】第一の連携の形態におけるタブレットコンピュータおよび画像形成装置の全体的な処理の流れを示すシーケンス図である。
【図１５】タブレットコンピュータに拡張された機能的構成の例を示す図である。
【図１６】第二の連携の形態におけるタブレットコンピュータおよび画像形成装置の全体的な処理の流れを示すシーケンス図である。
【図１７】タブレットコンピュータに拡張された機能的構成の第二の例を示す図である。
【発明を実施するための形態】
【００２１】
図１は、イントラネット４の全体的な構成の例を示す図である。図２は、タブレットコンピュータ１のハードウェア構成の例を示す図である。図３は、タブレットコンピュータ１の機能的構成の例を示す図である。図４は、画像形成装置２のハードウェア構成の例を示す図である。
【００２２】
図１に示すように、イントラネット４は、タブレットコンピュータ１、画像形成装置２、および通信回線ＮＷなどによって構成される。
【００２３】
通信回線ＮＷは、ハブ、ルータ、ケーブル、および無線基地局などによって構成される。タブレットコンピュータ１と画像形成装置２とは、通信回線ＮＷを介して通信を行うことができる。
【００２４】
タブレットコンピュータ１は、薄い板状のコンピュータである。一般に「タブレットＰＣ」または「タブレット端末」などと呼ばれることもある。
【００２５】
タブレットコンピュータ１は、図２に示すように、ＣＰＵ（Central Processing Unit）１０ａ、ＲＡＭ（Random Access Memory）１０ｂ、フラッシュメモリ１０ｃ、通信装置１０ｄ、タッチパネルディスプレイ１０ｅ、ボタン１０ｆ、スピーカ１０ｇ、マイクロホン１０ｈ、およびデジタルカメラ１０ｉなどによって構成される。
【００２６】
通信装置１０ｄは、通信回線ＮＷを介して画像形成装置２などとＴＣＰ／ＩＰ（Transmission Control Protocol/Internet Protocol）などのプロトコルでデータのやり取りを行うための装置である。通信装置１０ｄとして、いわゆる無線ＬＡＮ（Local Area Network）の子機として機能する装置が用いられる。また、３Ｇ回線などの携帯電話網を介して通信を行うための装置が通信装置１０ｄとしてさらに供えられている場合もある。
【００２７】
タッチパネルディスプレイ１０ｅは、ユーザに対してメッセージまたは指示を与えるための画面、ユーザが所望する処理の種類および処理条件を入力するための画面、およびＣＰＵ１０ａなどで実行された処理の結果を示す画面などを表示する。ユーザは、これらの画面を見ながらボタン１０ｆまたはタッチパネルディスプレイを操作することによって、タブレットコンピュータ１に対して情報および指令を入力することができる。
【００２８】
ボタン１０ｆは、電源のオン／オフの切換え、スリープモードのオン／オフの切換え、およびホーム画面への切換えのために用いられる。ボタン１０ｆが役割ごとに複数設けられていることもある。
【００２９】
スピーカ１０ｇは、音声を出力する。マイクロホン１０ｈは、音声を集音しデジタル化する。デジタルカメラ１０ｉは、撮影を行い画像データを生成する。
【００３０】
フラッシュメモリ１０ｃには、図３に示すように、ファイルシステム１０１、オペレーティングシステム１０２、ユーザ切換管理プログラム１０３、およびアプリケーション１０４などが記憶されている。
【００３１】
ファイルシステム１０１は、フラッシュメモリ１０ｃのコントローラであって、フラッシュメモリ１０ｃにファイルを書き込み、フラッシュメモリ１０ｃからファイルを読み出し、またはフラッシュメモリ１０ｃからファイルを削除する。これらの処理は、基本的に、オペレーティングシステム１０２からの要求に基づいて実行される。または、オペレーティングシステム１０２の起動用のプログラムからの要求に基づいて実行される。
【００３２】
例えば、特定のディレクトリへのファイルの書込みの要求があった場合に、ファイルシステム１０１は、フラッシュメモリ１０ｃの中の空いている領域にこのファイルを書き込む。そして、このファイルのパスとこの領域のアドレスとの対応関係を示すデータをテーブルに記憶させる。なお、空いている領域は、このテーブルにおいて、いずれのファイルにもアドレスが対応付けられていない領域である。
【００３３】
または、ファイルの読出しの要求があった場合に、ファイルシステム１０１は、このテーブルに基づいてこのファイルをフラッシュメモリ１０ｃから読み出す。
【００３４】
または、ファイルの削除の要求があった場合に、ファイルシステム１０１は、このファイルと領域のアドレスとの対応関係を示すデータをこのテーブルから削除する。これにより、このファイルが格納されていた領域が解放される。さらに、この領域に所定のビット列（例えば、すべて「０」からなるビット列）を上書きすることによって、このファイルを完全に削除してもよい。
【００３５】
ユーザ切換管理プログラム１０３およびアプリケーション１０４がファイルの読み書きおよび削除を必要とする場合は、オペレーティングシステム１０２のＡＰＩ（Application Program Interface）などを介してファイルシステム１０１に対して要求がなされる。
【００３６】
オペレーティングシステム１０２は、タブレットコンピュータ１のシステムの管理を行い、かつ、基本的なＧＵＩ（Graphical User Interface）を提供する。特に、基本的なＧＵＩの１つとしてホーム画面を提供する。
【００３７】
また、オペレーティングシステム１０２には、アプリケーションに種々の機能を提供するために、ＡＰＩおよびシステムコールが予め用意されている。
【００３８】
ただし、本実施形態では、オペレーティングシステム１０２は、壁紙、ユーザインタフェースで使用する言語およびフォントのサイズ、標準時、ならびに音声の出力の大きさなどの環境に関する設定値をユーザごとに持つことができない。つまり、マルチユーザに対応していない。
【００３９】
オペレーティングシステム１０２として、グーグル社のＡｎｄｒｏｉｄ、マイクロソフト社のＷｉｎｄｏｗｓ  Ｐｈｏｎｅ（Ｗｉｎｄｏｗｓは登録商標である。）、アップル社のｉＯＳ、またはリサーチ・イン・モーション社のＢｌａｃｋＢｅｒｒｙ  ＯＳなどが用いられる。
【００４０】
ユーザ切換管理プログラム１０３は、タブレットコンピュータ１を複数のユーザが各人の好みの環境で使用することができるようにするためのソフトウェアである。すなわち、タブレットコンピュータ１においてユーザごとにユーザプロファイルを使い分けるようにするためのソフトウェアである。
【００４１】
ユーザ切換管理プログラム１０３によると、ログイン処理部３０１、第一の参照ファイル切換処理部３０２、第一のホーム画面切換処理部３０３、第一の設定再読込指示部３０４、ログアウト画面表示処理部３０５、アプリケーション終了処理部３０６、第二の参照ファイル切換処理部３０７、第二のホーム画面切換処理部３０８、および第二の設定再読込指示部３０９などの機能が実現される。これらの機能については、後に説明する。
【００４２】
アプリケーション１０４として、メーラ、ウェブブラウザ、スケジュール管理用のアプリケーション、およびマルチメディアの再生用のアプリケーションなどが、フラッシュメモリ１０ｃに記憶されている。
【００４３】
ファイルシステム１０１、オペレーティングシステム１０２、およびアプリケーション１０４それぞれを構成するモジュールおよびユーザ切換管理プログラム１０３は、必要に応じてＲＡＭ１０ｂにロードされ、ＣＰＵ１０ａによって実行される。なお、ファイルシステム１０１の全部または一部の機能は、ＦＰＧＡ（Field Programmable Gate Array）またはＡＳＩＣ（Application Specific Integrated Circuit）などの回路によって実現される場合がある。
【００４４】
画像形成装置２は、一般にＭＦＰ（Multi Function Peripherals）または複合機などと呼ばれる装置であって、コピー、ＰＣプリント、ファクシミリ、およびスキャンなどの機能を集約した装置である。
【００４５】
ＰＣプリント機能は、タブレットコンピュータ１またはパーソナルコンピュータなどの端末装置から画像データを受信し画像を用紙に印刷する機能である。「ネットワークプリンタ機能」または「ネットワークプリンティング機能」などと呼ばれることもある。
【００４６】
画像形成装置２（図１参照）は、図４に示すように、ＣＰＵ２０ａ、ＲＡＭ（Random Access Memory）２０ｂ、ＲＯＭ（Read Only Memory）２０ｃ、大容量記憶装置２０ｄ、スキャンユニット２０ｅ、プリントユニット２０ｆ、ＮＩＣ（Network Interface Card）２０ｇ、操作パネル２０ｈ、およびファクシミリユニット２０ｉのほか種々の制御用の回路などによって構成される。
【００４７】
ＮＩＣ２０ｇは、通信回線ＮＷを介してタブレットコンピュータ１およびパーソナルコンピュータなどを相手にＴＣＰ／ＩＰなどのプロトコルで通信を行う。
【００４８】
操作パネル２０ｈは、キー入力部およびタッチパネルディスプレイなどによって構成される。キー入力部は、いわゆるハードウェアキーボードであって、テンキー、スタートキー、ストップキー、およびファンクションキーなどによって構成される。タッチパネルディスプレイは、種々の画面を表示する。ユーザは、画面を見ながらキー入力部またはタッチパネルディスプレイを操作することによって、画像形成装置２に対して情報および指令を入力することができる。
【００４９】
スキャンユニット２０ｅは、プラテンガラスの上にセットされた用紙に記されている画像を読み取って画像データを生成する。
【００５０】
ファクシミリユニット２０ｉは、公衆電話回線を介してファクシミリ端末との間でＧ３などのプロトコルで画像データをやり取りする。
【００５１】
プリントユニット２０ｆは、スキャンユニット２０ｅによって読み取られた画像のほか、タブレットコンピュータ１、パーソナルコンピュータ、またはファクシミリ端末などから受信した画像データに示される画像を用紙に印刷する。
【００５２】
ＲＯＭ２０ｃまたは大容量記憶装置２０ｄには、上述の各機能を実現するためのソフトウェアとして、オペレーティングシステム、ミドルウェア、およびアプリケーションなどが記憶されている。これらのソフトウェアを構成するモジュールは、必要に応じてＲＡＭ２０ｂにロードされ、ＣＰＵ２０ａによって実行される。
【００５３】
大容量記憶装置２０ｄとして、ハードディスクまたはＳＳＤ（Solid State Drive）などが用いられる。
【００５４】
以下、タブレットコンピュータ１をマルチユーザに対応させる仕組みを、ファイルおよびディレクトリの準備と使用時の処理とに大別して説明する。
【００５５】
〔ファイルおよびディレクトリの準備〕
図５は、フラッシュメモリ１０ｃのディレクトリの構造の例を示す図である。図６は、ユーザファイル５Ｕの例を示す図である。図７は、標準ホーム画面ＷＮ２の例を示す図である。図８は、ログイン画面ＷＮ１の例を示す図である。
【００５６】
タブレットコンピュータ１は、複数のユーザによって共用される。共用のために、フラッシュメモリ１０ｃには、図５に示すように、予め次のファイルおよびディレクトリが用意されている。
【００５７】
アカウントファイル５Ｔが、１人のユーザに１つずつ用意されている。アカウントファイル５Ｔには、ユーザを識別するためのユーザコードおよび本人であることを確認するためのパスワードを示すデータが含まれている。
【００５８】
アカウントファイル５Ｔは、それの所有者であるユーザのために予め設けられた所定の領域に記憶されている。本実施形態では、アカウントファイル５Ｔのほか後述する各ファイルを記憶する領域として、ディレクトリが用いられる。以下、ユーザごとのアカウントファイル５Ｔを記憶させる領域を「アカウントディレクトリ６Ｔ」と記載する。例えば、ユーザ＿Ａのアカウントファイル５Ｔは、フラッシュメモリ１０ｃの「／ａｃｃｏｕｎｔ／ｕｓｒ＿Ａ」というパスのアカウントディレクトリ６Ｔに記憶されている。
【００５９】
さらに、ユーザファイル５Ｕが、１人のユーザに１つずつ用意されている。ユーザファイル５Ｕには、図６に示すように、システム設定データ５Ｕａおよびアプリケーション設定データ５Ｕｂが含まれている。
【００６０】
システム設定データ５Ｕａは、上述の壁紙、言語、フォントのサイズ、および標準時など、オペレーティングシステム１０２に関する環境の設定値を示している。
【００６１】
一方、アプリケーション設定データ５Ｕｂは、アプリケーション１０４ごとに用意されており、アプリケーション１０４ごとの設定値を示している。
【００６２】
このように、ユーザファイル５Ｕは、ユーザプロファイルを含むファイルであると、言える。
【００６３】
これらのユーザファイル５Ｕには、所定のファイル名が共通に付されている。また、各ユーザファイル５Ｕは、それの所有者であるユーザのために予め設けられたディレクトリに記憶されている。以下、ユーザごとのユーザファイル５Ｕを記憶させるディレクトリを「ユーザ別設定値ディレクトリ６Ｋ」と記載する。例えば、ユーザ＿Ａのユーザファイル５Ｕは、フラッシュメモリ１０ｃの「／ｕｓｒ／ｕｓｒ＿Ａ」というパスのユーザ別設定値ディレクトリ６Ｋに記憶されている。
【００６４】
そのほか、フラッシュメモリ１０ｃには、ユーザ切換管理プログラム１０３を適用しない場合に用いられる基本のユーザファイル５Ｕを退避するための、「／ｄｕｍｍｙ」というパスのディレクトリが設けられている。以下、このディレクトリを「退避用ディレクトリ６Ｈ」と記載する。設けられている。このユーザファイル５Ｕは、ユーザ切換管理プログラム１０３を適用する場合は、ユーザのログインの後は、用いられない。したがって、一時的なダミーのファイルであると、言える。そこで、以下、このユーザファイル５Ｕを「ダミーユーザファイル５ＵＤ」と記載する。一方、個々のユーザのユーザファイル５Ｕを「真ユーザファイル５ＵＳ」と記載する。
【００６５】
ダミーユーザファイル５ＵＤは、ユーザ切換管理プログラム１０３を適用しないときは、オペレーティングシステム１０２における設定用のデータの記憶用の領域として予め決められているディレクトリ、本実施形態では、「／ｄａｔａ」というパスのデフォルトデータディレクトリ６Ｆに記憶されている。そして、通常のユーザファイル５Ｕとして用いられる。
【００６６】
また、オペレーティングシステム１０２には、一般的に、標準のホーム画面として、図７のような、アプリケーション１０４を選択するためのアイコンなどを配置した標準ホーム画面ＷＮ２が予め用意されている。具体的には、標準ホーム画面ＷＮ２を表示するための標準画面ファイル５ＧＳが、所定のディレクトリ、例えば、「／ｓｙｓ」というパスのシステムディレクトリ６ＳＹに予め記憶されている。そして、通常は、標準ホーム画面ＷＮ２がホーム画面として表示される。
【００６７】
しかし、本実施形態では、標準画面ファイル５ＧＳは、別のディレクトリ、例えば、「／ｂａｃｋｕｐ」というパスのバックアップディレクトリ６ＢＵに予めバックアップされている。そして、標準画面ファイル５ＧＳの代わりに、図８のような、タブレットコンピュータ１へのユーザのログインのためのログイン画面ＷＮ１を表示するためのログイン画面ファイル５ＧＬがシステムディレクトリ６ＳＹに記憶されている。
【００６８】
アカウントファイル５Ｔ、真ユーザファイル５ＵＳ、ログイン画面ファイル５ＧＬ、アカウントディレクトリ６Ｔ、ユーザ別設定値ディレクトリ６Ｋ、退避用ディレクトリ６Ｈ、およびバックアップディレクトリ６ＢＵは、タブレットコンピュータ１が販売される前に顧客の希望に基づいてメーカの作業者などがＳＤＫ（Software Development Kit）などのツールを使用して用意しておけばよい。また、標準画面ファイル５ＧＳをバックアップディレクトリ６ＢＵへバックアップしておく作業も、メーカの作業者によって予め行われる。
【００６９】
〔使用時の処理〕
図９および図１０は、ファイルシステム１０１、オペレーティングシステム１０２、およびユーザ切換管理プログラム１０３による処理の流れの例を説明するシーケンス図である。図１１は、標準ホーム画面ＷＮ２にシステム設定データ５Ｕａを適用した例を示す図である。図１２は、ログアウト画面ＷＮ３の例を示す図である。
【００７０】
電源がオンになると、タブレットコンピュータ１は、図９および図１０のシーケンス図に示す手順で処理を実行する。
【００７１】
タブレットコンピュータ１は、所定の領域に記憶されているブート用のプログラムに基づいてオペレーティングシステム１０２の起動を開始する（図９の＃７０１）。所定の領域は、一般に、ＭＢＲ（Master Boot Record）であることが多い。ブート用のプログラムによって、タブレットコンピュータ１は、オペレーティングシステム１０２を構成する各種のデータおよびプログラムがＲＡＭ１０ｂにロードする（＃７０２、＃７０３）。
【００７２】
ステップ＃７０１〜＃７０３は、従来のオペレーティングシステム１０２の起動の手順と同様である。
【００７３】
ステップ＃７０２においては、特に、デフォルトデータディレクトリ６Ｆに記憶されているユーザファイル５Ｕつまりダミーユーザファイル５ＵＤをロードする。
【００７４】
また、ステップ＃７０３においては、時計のプログラム、通信のプログラム、および充電池の残量の監視のプログラムなど種々のサービスのプログラムを起動する。これらのプログラムには、ユーザファイル５Ｕの中のシステム設定データ５Ｕａを参照するものもあれば、しないものもある。例えば、時計のプログラムは、標準時に基づいて、表示すべき日時を算出する。なお、システム設定データ５Ｕａの参照が不要なプログラムは、ダミーユーザファイル５ＵＤのロードよりも先に起動されることがある。
【００７５】
各種のデータおよびプログラムがロードされたら、タブレットコンピュータ１は、ユーザ切換管理プログラム１０３をロードする（＃７０４）。その後、ユーザ切換管理プログラム１０３は、ＲＡＭ１０ｂに常駐する。
【００７６】
そして、タブレットコンピュータ１は、システムディレクトリ６ＳＹに記憶されている画面データに基づいてホーム画面をタッチパネルディスプレイ１０ｅに表示する（＃７０５）。ここでは、ログイン画面ファイル５ＧＬが記憶されているので、ログイン画面ＷＮ１（図８参照）を表示する。
【００７７】
ユーザは、ログイン画面ＷＮ１が表示されると、自分のユーザコードおよびパスワードを入力し、「ＯＫ」ボタンを押す。すると、タブレットコンピュータ１は、このユーザコードおよびパスワードを受け付ける（＃７０６）。なお、タブレットコンピュータ１は、ログイン画面ＷＮ１における操作以外の操作を原則として禁止する。特に、アプリケーション１０４を起動する操作を禁止する。なお、タッチパネルディスプレイ１０ｅのライトをオフに切り換える操作および電源を切る操作は、認められる。
【００７８】
ステップ＃７０１〜＃７０３、＃７０５の処理は、従来のオペレーティングシステムの起動の処理の通りである。しかし、ステップ＃７０４の処理は、従来のオペレーティングシステムだけでは実行することができない。そこで、ステップ＃７０４の処理を次のような方法で実行させればよい。
【００７９】
例えば、ユーザ切換管理プログラム１０３を起動するコマンドをブート用のプログラムに書き加えておけばよい。すると、タブレットコンピュータ１は、このコマンドに基づいてユーザ切換管理プログラム１０３を起動することができる。
【００８０】
または、ログイン画面ＷＮ１において所定のイベントが行われた際のプログラム（Ａｎｄｒｏｉｄにおけるアクティビティに相当するプログラム）としてユーザ切換管理プログラム１０３を指定しておいてもよい。例えば、「ＯＫ」ボタンが押されたときに実行するプログラムとしてユーザ切換管理プログラム１０３を指定しておいてもよい。この場合は、ステップ＃７０５の処理がステップ＃７０４の処理よりも先に実行される。
【００８１】
ユーザ切換管理プログラム１０３がロードされると、図３に示すログイン処理部３０１ないし第二のホーム画面切換処理部３０８の機能が実現される。以下、これらの機能について、順次、説明する。
【００８２】
ログイン処理部３０１は、入力されたユーザコードおよびパスワードと、アカウントディレクトリ６Ｔに記憶されている各アカウントファイル５Ｔに示されるユーザコードおよびパスワードとを照合することによって、ユーザ認証を行う（＃７０７）。そして、一致するアカウントファイル５Ｔがあった場合は、タブレットコンピュータ１へのこのユーザのログインを認める。以下、ログインしたユーザを「ログインユーザ」と記載する。
【００８３】
第一の参照ファイル切換処理部３０２は、環境などに関して参照されるデータを切り換える処理を次のように実行する（＃７０８）。
【００８４】
第一の参照ファイル切換処理部３０２は、デフォルトデータディレクトリ６Ｆに記憶されているダミーユーザファイル５ＵＤを、退避用ディレクトリ６Ｈへ移動させることによって退避させる。そして、ログインユーザの真ユーザファイル５ＵＳをログインユーザのユーザ別設定値ディレクトリ６Ｋから読み出してデフォルトデータディレクトリ６Ｆへコピーする。例えば、ユーザ＿Ａがログインユーザである場合は、ユーザ＿Ａの真ユーザファイル５ＵＳをデフォルトデータディレクトリ６Ｆへコピーする。
【００８５】
真ユーザファイル５ＵＳの代わりに、シンボリックリンク５Ｌを記憶させてもよい。すなわち、第一の参照ファイル切換処理部３０２は、ログインユーザのユーザ別設定値ディレクトリ６Ｋに記憶されている真ユーザファイル５ＵＳのシンボリックリンクをシンボリックリンク５Ｌとして生成する。そして、シンボリックリンク５Ｌをデフォルトデータディレクトリ６Ｆに記憶させる。
【００８６】
第一のホーム画面切換処理部３０３は、ログイン画面ファイル５ＧＬをシステムディレクトリ６ＳＹからバックアップディレクトリ６ＢＵへ移動させるとともに、標準画面ファイル５ＧＳをバックアップディレクトリ６ＢＵからシステムディレクトリ６ＳＹへ移動させる（＃７０９）。つまり、ログイン画面ファイル５ＧＬと標準画面ファイル５ＧＳとを入れ換える。
【００８７】
第一の設定再読込指示部３０４は、ステップ＃７０２で起動した、オペレーティングシステム１０２の全部または一部のプログラムを再起動させる（＃７１０、＃７１１）。すべてのプログラムを再起動する必要はないが、ユーザファイル５Ｕを参照する必要があるプログラムは、再起動させるのが望ましい。デフォルトデータディレクトリ６Ｆには、ログインユーザの真ユーザファイル５ＵＳが記憶されている。したがって、このようなプログラムを再起動することによって、この真ユーザファイル５ＵＳのシステム設定データ５Ｕａ（図５参照）に示される設定値が反映され、言語、フォントのサイズ、および標準時などの環境をログインユーザに合わせることができる。
【００８８】
なお、真ユーザファイル５ＵＳの代わりにシンボリックリンク５Ｌがデフォルトデータディレクトリ６Ｆに記憶されている場合は、シンボリックリンク５Ｌに基づいてログインユーザのユーザ別設定値ディレクトリ６Ｋから真ユーザファイル５ＵＳが参照され、設定値が反映される。
【００８９】
一部のプログラムのみを再起動する場合は、再起動するプログラムを第一の設定再読込指示部３０４に予め設定しておけばよい。または、ユーザファイル５Ｕのロードの後に実行されるプログラムをすべて再起動してもよい。ただし、ユーザ切換管理プログラム１０３の起動はスキップするように設定しておく。
【００９０】
ステップ＃７１０、＃７１１における再起動に伴い、オペレーティングシステム１０２は、システムディレクトリ６ＳＹに記載されている画面データに基づいてホーム画面をタッチパネルディスプレイ１０ｅに表示する（＃７１２）。ステップ＃７０５の場合とは異なり、ログイン画面ファイル５ＧＬが記憶されているので、ログイン画面ＷＮ１（図８参照）ではなく、標準ホーム画面ＷＮ２（図７参照）を表示する。また、この際に、ログインユーザの真ユーザファイル５ＵＳのシステム設定データ５Ｕａが参照される。したがって、タブレットコンピュータ１は、壁紙などをカスタマイズした状態で標準ホーム画面ＷＮ２を表示する。
【００９１】
例えば、システム設定データ５Ｕａに、壁紙、言語、フォントのサイズ、および標準時に関する設定値として「水玉模様」、「日本語」、「８ポイント」、および「東京」が示されている場合は、図１１（Ａ）のような標準ホーム画面ＷＮ２が表示される。または、「無地」、「英語」、「１２ポイント」、および「ロンドン」が示されている場合は、図１１（Ｂ）のような標準ホーム画面ＷＮ２が表示される。
【００９２】
その後、ログインユーザは、適宜、アプリケーション１０４を起動し種々の作業を行うことができる。ログインユーザがアプリケーションの起動のための操作を行うと、例えば、アイコンを押すと、従来通り、このアイコンに対応するアプリケーション１０４がオペレーティングシステム１０２によって起動される（＃７１３、＃７１４）。
【００９３】
アプリケーション１０４は、デフォルトデータディレクトリ６Ｆに記憶されている真ユーザファイル５ＵＳのアプリケーション設定データ５Ｕｂ（図５参照）に基づいて実行される。したがって、ログインユーザに応じた設定値によって処理が実行される。
【００９４】
例えば、アプリケーション１０４としてウェブブラウザが起動した場合は、タブレットコンピュータ１は、アプリケーション設定データ５Ｕｂに示されるホームページ（スタートページ）のＵＲＬのウェブページを最初に表示する。
【００９５】
なお、真ユーザファイル５ＵＳの代わりにシンボリックリンク５Ｌがデフォルトデータディレクトリ６Ｆに記憶されている場合は、シンボリックリンク５Ｌに基づいて、ログインユーザのユーザ別設定値ディレクトリ６Ｋに記憶されている真ユーザファイル５ＵＳが参照される。
【００９６】
ログインユーザは、タブレットコンピュータ１の使用を止める場合に、所定の操作を行う。
【００９７】
すると、ユーザ切換管理プログラム１０３のログアウト画面表示処理部３０５は、図１２のようなログアウト画面ＷＮ３をタッチパネルディスプレイ１０ｅに表示させる（＃７１５、＃７１６）。
【００９８】
ログインユーザが「ログアウト」ボタンを押すと（＃７１７）、ログアウトのための処理が、アプリケーション終了処理部３０６、第二の参照ファイル切換処理部３０７、第二のホーム画面切換処理部３０８、および第二の設定再読込指示部３０９によって次のように実行される（＃７１８〜＃７２２）。
【００９９】
アプリケーション終了処理部３０６は、フラッシュメモリ１０ｃに現在ロードされているアプリケーション１０４を終了させる（＃７１８）。
【０１００】
第二の参照ファイル切換処理部３０７は、デフォルトデータディレクトリ６Ｆに記憶されている真ユーザファイル５ＵＳを削除する。真ユーザファイル５ＵＳの代わりにシンボリックリンク５Ｌが記憶されている場合は、シンボリックリンク５Ｌを削除する。そして、退避用ディレクトリ６Ｈに退避されているダミーユーザファイル５ＵＤをデフォルトデータディレクトリ６Ｆに移動させる（＃７１９）。
【０１０１】
第二のホーム画面切換処理部３０８は、標準画面ファイル５ＧＳをシステムディレクトリ６ＳＹからバックアップディレクトリ６ＢＵへ移動させるとともに、ログイン画面ファイル５ＧＬをバックアップディレクトリ６ＢＵからシステムディレクトリ６ＳＹへ移動させる（＃７２０）。つまり、標準画面ファイル５ＧＳとログイン画面ファイル５ＧＬとを入れ換える。
【０１０２】
第二の設定再読込指示部３０９は、ステップ＃７１０、＃７１１と同様に、ステップ＃７０２で起動した、オペレーティングシステム１０２の全部または一部のプログラムを再起動させる（＃７２１、＃７２２）。
【０１０３】
再起動に伴い、タブレットコンピュータ１は、ステップ＃７０５の場合と同様に、ホーム画面としてログイン画面ＷＮ１を表示する（＃７２３）。
【０１０４】
以下、ユーザがユーザコードおよびパスワードを入力すると、タブレットコンピュータ１は、ステップ＃７０６に戻って上述の処理を実行する。
【０１０５】
例えば、次にユーザ＿Ｂがログインした場合は、デフォルトデータディレクトリ６Ｆにはユーザ＿Ｂの真ユーザファイル５ＵＳがロードされる。これにより、ユーザ＿Ｂに合わせた環境が実現される。
【０１０６】
図１３は、ユーザ切換管理プログラム１０３に基づく処理の流れの例を示すフローチャートである。
【０１０７】
次に、ユーザ切換管理プログラム１０３を実行する際のタブレットコンピュータ１の処理の概要を、図１３のフローチャートを参照しながら説明する。
【０１０８】
タブレットコンピュータ１は、ログイン画面ＷＮ１（図１０参照）にユーザコードおよびパスワードが入力されると、ユーザ認証を行う（図１３の＃１１）。ユーザ認証に成功したら（＃１２でＹｅｓ）、入力したユーザをログインさせる。
【０１０９】
すると、タブレットコンピュータ１は、デフォルトデータディレクトリ６Ｆから退避用ディレクトリ６Ｈへダミーユーザファイル５ＵＤを退避させるとともに、このユーザ（ログインユーザ）の真ユーザファイル５ＵＳをデフォルトデータディレクトリ６Ｆにコピーする（＃１３）。これにより、オペレーティングシステム１０２およびアプリケーション１０４によって参照されるユーザデータが、ダミーユーザファイル５ＵＤからログインユーザの真ユーザファイル５ＵＳに切り換えられる。
【０１１０】
さらに、タブレットコンピュータ１は、ステップ＃１３の処理と前後してまたは並行して、ログイン画面ファイル５ＧＬと標準画面ファイル５ＧＳとを入れ換える（＃１４）。これにより、ホーム画面の切換えの準備が完了する。
【０１１１】
そして、タブレットコンピュータ１は、オペレーティングシステム１０２の全部または一部のプログラムを再起動する（＃１５）。これにより、ログインユーザの真ユーザファイル５ＵＳの内容に応じた環境が実現される。例えば、標準ホーム画面ＷＮ２（図７参照）が、ログインユーザの好みの壁紙などが適用された状態で、表示される。さらに、ログインユーザは、アプリケーション１０４を起動させ作業を行うことができる。この場合も、ログインユーザの真ユーザファイル５ＵＳに基づいてアプリケーション１０４が実行される。
【０１１２】
また、ログインユーザが壁紙などの設定値を変更する操作を行うと、従来通り、デフォルトデータディレクトリ６Ｆに記憶されているユーザファイル５Ｕ、つまり、ログインユーザの真ユーザファイル５ＵＳの内容が、操作に応じて更新される。アプリケーション１０４の設定値を変更する操作を行った場合も、同様である。
【０１１３】
ユーザが所定の操作を行うと（＃１６でＹｅｓ）、タブレットコンピュータ１は、ログアウト画面ＷＮ３（図１２参照）を表示する（＃１７）。そして、ユーザが「ログアウト」ボタンを押すと（＃１８でＹｅｓ）、タブレットコンピュータ１は、ログアウトのための処理を次のように実行する。
【０１１４】
タブレットコンピュータ１は、真ユーザファイル５ＵＳをデフォルトデータディレクトリ６Ｆから削除し、退避用ディレクトリ６Ｈからデフォルトデータディレクトリ６Ｆへダミーユーザファイル５ＵＤを移動させる（＃１９）。つまり、ダミーユーザファイル５ＵＤを復元する。これにより、参照されるユーザデータが、真ユーザファイル５ＵＳからダミーユーザファイル５ＵＤに切り換えられる。
【０１１５】
さらに、タブレットコンピュータ１は、ステップ＃１９の処理と前後してまたは並行して、ログイン画面ファイル５ＧＬと標準画面ファイル５ＧＳとを入れ換える（＃２０）。これにより、ホーム画面の切換えの準備が完了する。
【０１１６】
そして、タブレットコンピュータ１は、オペレーティングシステム１０２の全部または一部のプログラムを再起動する（＃２１）。これにより、ログイン画面ＷＮ１が再び表示される。
【０１１７】
その後、ユーザコードおよびパスワードが入力されたら、タブレットコンピュータ１は、再びステップ＃１１からの処理を実行する。
【０１１８】
本実施形態によると、既存のオペレーティングシステムを用いる場合であってもユーザごとに設定を変更することができる。また、ユーザコードおよびパスワードが正確に入力された場合にのみ、標準ホーム画面ＷＮ２を表示するので、セキュリティの保護を図ることができる。
【０１１９】
本実施形態では、タブレットコンピュータ１を主にスタンドアロンで使用する場合を例に説明したが、通信回線ＮＷを介して他の装置と連携させて使用する場合にも、本発明を適用することができる。以下、タブレットコンピュータ１を画像形成装置２と連携させて使用する例として、第一の連携の例および第二の連携の例を説明する。
【０１２０】
〔第一の連携の形態〕
図１４は、第一の連携の形態におけるタブレットコンピュータ１および画像形成装置２の全体的な処理の流れを示すシーケンス図である。図１５は、タブレットコンピュータ１に拡張された機能的構成の例を示す図である。
【０１２１】
タブレットコンピュータ１は、メーカの作業者などによって予め次のように設定されている。デフォルトデータディレクトリ６Ｆ（図５参照）が、通信回線ＮＷを介して画像形成装置２からアクセス可能なように、設定されている。
【０１２２】
さらに、画像形成装置２のアドレス帳に、このデフォルトデータディレクトリ６Ｆのネットワークアドレスが登録されている。例えば、プロトコルとしてＳＭＢ（Server Message Block）が用いられる場合は、デフォルトデータディレクトリ６Ｆの共有フォルダパスがネットワークアドレスとして設定されている。ＷｅｂＤＡＶまたはＦＴＰ（File Transfer Protocol）が用いられる場合は、デフォルトデータディレクトリ６ＦのＵＲＬ（Uniform Resource Locator）がネットワークアドレスとして設定されている。
【０１２３】
また、ユーザ切換管理プログラム１０３は、ログアウトの処理として、図１３のステップ＃１９〜＃２１の処理に加えて、ファイル保存処理部１２１による受信ファイル保存処理が実行されるように、記述されている。
【０１２４】
受信ファイル保存処理は、デフォルトデータディレクトリ６Ｆに記憶されている画像ファイルを、ログインユーザのユーザ別設定値ディレクトリ６Ｋへ移動させ、デフォルトデータディレクトリ６Ｆから削除する処理である。受信ファイル保存処理は、ステップ＃１９、＃２０の処理と並行してまたは前後して行われる。例えば、ユーザ＿Ａがログインユーザである場合は、ログアウトのコマンドが入力されると、タブレットコンピュータ１は、デフォルトデータディレクトリ６Ｆに記憶されている画像ファイルをユーザ＿Ａのユーザ別設定値ディレクトリ６Ｋへ移動させ、デフォルトデータディレクトリ６Ｆから削除する。
【０１２５】
ここで、タブレットコンピュータ１および画像形成装置２の処理の流れを、ユーザ＿Ａが画像形成装置２を使用して画像をスキャンしこの画像の画像ファイルをタブレットコンピュータ１に保存する場合を例に、図１４を参照しながら説明する。
【０１２６】
ユーザ＿Ａは、自分のユーザコードおよびパスワードをタッチパネルディスプレイ１０ｅによって入力し、タブレットコンピュータ１に予めログインしておく。さらに、画像形成装置２を次のように操作する。画像データ化したい画像の記された用紙を画像形成装置２のスキャンユニット２０ｅにセットするとともに、アドレス帳の中から送信先としてデフォルトデータディレクトリ６Ｆのネットワークアドレスを選択する。そして、スタートの指令を入力する。
【０１２７】
すると、タブレットコンピュータ１は、ユーザ＿Ａの認証を行いユーザ＿Ａをログインさせる（図１４の＃８０１）。
【０１２８】
一方、画像形成装置２は、用紙から画像を読み取って画像ファイル５ＧＦを生成する（＃８２１）。そして、指定された送信先、すなわち、タブレットコンピュータ１のデフォルトデータディレクトリ６Ｆへ画像ファイル５ＧＦを転送する（＃８２２）。画像ファイル５ＧＦを複数転送することもできる。なお、ステップ＃８２１〜＃８２２の一連の処理は、一般に、プロトコルに応じて、「ＳＣＡＮ＿ＴＯ＿ＳＭＢ」、「ＳＣＡＮ＿ＴＯ＿ＷｅｂＤＡＶ」、または「ＳＣＡＮ＿ＴＯ＿ＦＴＰ」と呼ばれることがある。
【０１２９】
タブレットコンピュータ１は、画像ファイル５ＧＦを受信すると、図１５に示すように、デフォルトデータディレクトリ６Ｆに一時的に保存する（＃８０２）。
【０１３０】
そして、ユーザ＿Ａがログアウトの操作を行うと、ログアウトのための処理を実行する（＃８０３）。この際に、ファイル保存処理部１２１は、デフォルトデータディレクトリ６Ｆに保存されている画像ファイル５ＧＦをすべてユーザ＿Ａのユーザ別設定値ディレクトリ６Ｋへ移動させ、デフォルトデータディレクトリ６Ｆから削除する（＃８０４）。
【０１３１】
その後、ユーザ＿Ｂが同様の操作を行った場合も、タブレットコンピュータ１および画像形成装置２は、同様の処理を実行する（＃８１１〜＃８１４、＃８３１〜＃８３２）。ただし、ステップ＃８１４において、画像ファイル５ＧＦは、ユーザ＿Ａのユーザ別設定値ディレクトリ６Ｋではなく、ユーザ＿Ｂのユーザ別設定値ディレクトリ６Ｋへ移動される。
【０１３２】
第一の連携の形態によると、１つの送信先を複数のユーザで共通に使用することができるので、ユーザごとの送信先を画像形成装置２に登録しておく必要がない。
【０１３３】
〔第二の連携の形態〕
図１６は、第二の連携の形態におけるタブレットコンピュータ１および画像形成装置２の全体的な処理の流れを示すシーケンス図である。図１７は、タブレットコンピュータ１に拡張された機能的構成の第二の例を示す図である。
【０１３４】
第一の連携の形態では、データが、画像形成装置２からタブレットコンピュータ１へ送信された。第二の連携の形態では、タブレットコンピュータ１から画像形成装置２へ送信される。
【０１３５】
以下、画像形成装置２が印刷に使用するフォントのデータをタブレットコンピュータ１からダウンロードして使用する場合を例に、説明する。
【０１３６】
タブレットコンピュータ１は、第一の連携の形態と同様に、デフォルトデータディレクトリ６Ｆ（図５参照）が、通信回線ＮＷを介して画像形成装置２からアクセス可能なように、設定されている。
【０１３７】
各ユーザは、自分が使用するフォントのフォントファイル５ＦＦを自分のユーザ別設定値ディレクトリ６Ｋに予め記憶させておくことができる。ただし、必要に応じて、フォントファイル５ＦＦのライセンスを自分自身のために予め取得しておかなければならない。
【０１３８】
また、ユーザ切換管理プログラム１０３は、ログインの処理として、図１３のステップ＃１３〜＃１５の処理に加えて、フォント切換処理部１３１によるフォント切換処理が実行され、かつ、ログアウトの処理として、ステップ＃１９〜＃２１の処理に加えて、フォント削除部１３２によるフォント削除処理が実行されるように、記述されている。
【０１３９】
フォント切換処理は、ログインユーザのユーザ別設定値ディレクトリ６Ｋに記憶されているフォントファイル５ＦＦをデフォルトデータディレクトリ６Ｆにコピーする処理である。フォント削除処理は、デフォルトデータディレクトリ６Ｆからフォントファイル５ＦＦを削除する処理である。
【０１４０】
画像形成装置２は、タブレットコンピュータ１のデフォルトデータディレクトリ６Ｆにフォントファイル５ＦＦが記憶されていればこれを用いて文字を形成するように、構成されている。
【０１４１】
ここで、タブレットコンピュータ１および画像形成装置２の処理の流れを、ユーザ＿Ａが画像形成装置２を使用してドキュメントを印刷する場合を例に、図１６を参照しながら説明する。
【０１４２】
ユーザ＿Ａは、自分のユーザコードおよびパスワードをタッチパネルディスプレイ１０ｅによって入力し、タブレットコンピュータ１に予めログインしておく。さらに、画像形成装置２を次のように操作する。
【０１４３】
印刷したいドキュメントのデータを用意し、画像形成装置２に入力する。例えば、ドキュメントのデータとして、ＰＤＦ（Portable Document Format）のファイルを用意する。さらに、タブレットコンピュータ１のフォントを使用するためのオプションを選択しておく。そして、スタートの指令を入力する。
【０１４４】
すると、タブレットコンピュータ１は、ユーザ＿Ａの認証を行いユーザ＿Ａをログインさせる（図１６の＃８５１）。そして、フォント切換処理部１３１は、図１７（Ａ）に示すように、ユーザ＿Ａのユーザ別設定値ディレクトリ６Ｋに記憶されているフォントファイル５ＦＦをデフォルトデータディレクトリ６Ｆにコピーする（＃８５２）。
【０１４５】
一方、画像形成装置２は、ドキュメントのデータを取得すると（＃８６１）、タブレットコンピュータ１へアクセスし、ＳＭＢ、ＷｅｂＤＡＶ、またはＦＴＰなどのプロトコルによって、デフォルトデータディレクトリ６Ｆからフォントファイル５ＦＦをダウンロードする（＃８６２、＃８５３）。そして、ドキュメントの中のテキストの部分の画像をフォントファイル５ＦＦに基づいて形成し、用紙に印刷する（＃８６３）。
【０１４６】
そして、ユーザ＿Ａがタッチパネルディスプレイ１０ｅに所定のコマンドを入力するなどしてログアウトの操作を行うと、タブレットコンピュータ１は、ログアウトのための処理を実行する（＃８５４）。この際に、フォント削除部１３２は、図１７（Ｂ）に示すように、デフォルトデータディレクトリ６Ｆからフォントファイル５ＦＦを削除する（＃８５５）。
【０１４７】
その後、ユーザ＿Ｂが同様の操作を行った場合も、タブレットコンピュータ１および画像形成装置２は、同様の処理を実行する（＃８７１〜＃８７５、＃８８１〜＃８８３）。ただし、ステップ＃８７２において、ユーザ＿Ｂのユーザ別設定値ディレクトリ６Ｋに記憶されているフォントファイル５ＦＦが、ユーザ別設定値ディレクトリ６Ｋにコピーされる。
【０１４８】
第二の連携の形態によると、ハードウェアリソース、特に、記憶手段の容量の少ない画像形成装置であっても、様々なフォントを適用することができる。また、フォントファイル５ＦＦをダウンロードする際のネットワークアドレスを複数のユーザで共用することができる。
【０１４９】
なお、第二の連携の形態においても、第一の連携の形態で説明した処理を実行してもよい。
【０１５０】
上述の実施形態および各連携の形態では、タブレットコンピュータ１にユーザ切換管理プログラム１０３を適用する場合を例に説明したが、他の種類の装置（特に携帯情報端末）にも、本発明を適用することができる。例えば、スマートフォン、ＰＤＡ（Personal Digital Assistant）、または電子ブック専用の端末などに適用することができる。特に、マルチユーザに対応していないオペレーティングシステムを有する装置に好適に用いられる。
【０１５１】
アカウントファイル５Ｔ、真ユーザファイル５ＵＳ、ログイン画面ファイル５ＧＬ、アカウントディレクトリ６Ｔ、ユーザ別設定値ディレクトリ６Ｋ、退避用ディレクトリ６Ｈ、およびバックアップディレクトリ６ＢＵを生成する機能をユーザ切換管理プログラム１０３に設け、タブレットコンピュータ１の購入者がこれらのファイルおよびディレクトリを用意できるようにしてもよい。
【０１５２】
上述の実施形態および各連携の形態では、説明の簡単のため、オペレーティングシステム１０２およびアプリケーション１０４によって参照されるデータを１つのディレクトリつまりデフォルトデータディレクトリ６Ｆに記憶させた。しかし、記憶先は、オペレーティングシステム１０２の仕様に応じて適宜、変更される。
【０１５３】
また、図５に示したように、オペレーティングシステム１０２の設定値のデータ（システム設定データ５Ｕａ）およびアプリケーション１０４ごとの設定値のデータ（アプリケーション設定データ５Ｕｂ）を１つのユーザファイル５Ｕに纏めて管理した。しかし、オペレーティングシステム１０２の仕様に応じて、それぞれ独立したファイルとして管理する場合がある。
【０１５４】
上述の実施形態および各連携の形態では、タブレットコンピュータ１において、ファイル（データ）の記憶領域をディレクトリによって管理したが、記憶領域をフラッシュメモリ１０ｃのアドレスによって管理してもよい。
【０１５５】
上述の実施形態および各連携の形態では、ユーザ切換管理プログラム１０３を、起動後、常駐させたが、ユーザがログアウトした際に、再起動させてもよい。
【０１５６】
上述の実施形態および各連携の形態では、真ユーザファイル５ＵＳの代わりにこれのシンボリックリンク５Ｌをデフォルトデータディレクトリ６Ｆに記憶させる場合があったが、ダミーユーザファイル５ＵＤも同様に、これのシンボリックリンクをデフォルトデータディレクトリ６Ｆに記憶させてもよい。
【０１５７】
上述の実施形態および各連携の形態では、真ユーザファイル５ＵＳをフラッシュメモリ１０ｃに用意しておいたが、他の装置に用意しておいてもよい。例えば、いわゆるオンラインストレージに用意しておいてもよい。そして、オンラインストレージからダウンロードして使用してもよい。
【０１５８】
その他、イントラネット４、タブレットコンピュータ１の全体または各部の構成、処理内容、処理順序、ファイルの構成などは、本発明の趣旨に沿って適宜変更することができる。
【符号の説明】
【０１５９】
１  タブレットコンピュータ
１０２  オペレーティングシステム
１０３  ユーザ切換管理プログラム
１０４  アプリケーション
１２１  ファイル保存処理部（移動処理手段）
１３１  フォント切換処理部（記憶処理手段）
１３２  フォント削除部（削除処理手段）
１０ｅ  タッチパネルディスプレイ（受付手段）
３０１  ログイン処理部（受付手段）
３０２  第一の参照ファイル切換処理部（変更手段）
５Ｕ  ユーザファイル（標準設定データ）
５ＵＤ  ダミーユーザファイル（一時設定データ）
５ＵＳ  真ユーザファイル（個別設定データ）
６Ｆ  デフォルトデータディレクトリ（所定の記憶領域）
６Ｋ  ユーザ別設定値ディレクトリ（個別設定データ記憶手段）
【図１】
2014056538.tif 000003
【図２】
2014056538.tif 000004
【図３】
2014056538.tif 000005
【図４】
2014056538.tif 000006
【図５】
2014056538.tif 000007
【図６】
2014056538.tif 000008
【図７】
2014056538.tif 000009
【図８】
2014056538.tif 000010
【図９】
2014056538.tif 000011
【図１０】
2014056538.tif 000012
【図１１】
2014056538.tif 000013
【図１２】
2014056538.tif 000014
【図１３】
2014056538.tif 000015
【図１４】
2014056538.tif 000016
【図１５】
2014056538.tif 000017
【図１６】
2014056538.tif 000018
【図１７】
2014056538.tif 000019
【手続補正書】
【提出日】平成25年7月18日(2013.7.18)
【手続補正１】
【補正対象書類名】特許請求の範囲
【補正対象項目名】全文
【補正方法】変更
【補正の内容】
【特許請求の範囲】
【請求項１】
設定に関するデータである標準設定データとして予め一時設定データを記憶する標準設定データ記憶手段と、
ユーザごとに、個別の設定に関する個別設定データを当該ユーザの識別子と対応付けて記憶する、個別設定データ記憶手段と、
前記標準設定データ記憶手段に記憶されている前記標準設定データに基づいて特定の処理を実行する制御手段と、
前記識別子を受け付ける受付手段と、
前記一時設定データを退避用記憶手段へ移動させ、前記受付手段によって受け付けられた前記識別子に対応付けられて前記個別設定データ記憶手段に記憶されている前記個別設定データを前記標準設定データとして前記標準設定データ記憶手段に記憶させる、置換手段と、
を有することを特徴とする携帯情報端末。
【請求項２】
他の装置から受信したデータである受信データを記憶する標準受信データ記憶手段と、
前記ユーザごとに個別に用意された個別受信データ記憶手段と、
第一のコマンドが入力された場合に、前記標準受信データ記憶手段に記憶されている前記受信データを、前記受付手段によって受け付けられた前記識別子の前記ユーザの前記個別受信データ記憶手段へ移動させる、移動処理手段と、を有する、
請求項１に記載の携帯情報端末。
【請求項３】
送信する対象のデータである送信用データを記憶する標準送信用データ記憶手段と、
前記ユーザごとに個別に用意された個別送信用データ記憶手段と、
第二のコマンドが入力された場合に、前記受付手段によって受け付けられた前記識別子の前記ユーザの前記個別送信用データ記憶手段に記憶されているデータを、前記送信用データとして前記標準送信用データ記憶手段に記憶させる送信準備処理手段と、
前記標準送信用データ記憶手段に記憶されている前記送信用データを他の装置へ送信する送信手段と、
第二のコマンドが入力された場合に、前記標準送信用データ記憶手段から前記送信用データを削除する削除処理手段と、を有する、
請求項１または請求項２に記載の携帯情報端末。
【請求項４】
前記制御手段は、前記特定の処理として、複数のアプリケーションのうちの１つを選択するための画面である選択画面を表示する処理を、前記置換処理の後に実行する、
請求項１ないし請求項３のいずれかに記載の携帯情報端末。
【請求項５】
第三のコマンドが入力された場合に、複数のアプリケーションのうちのいずれかが起動されているのであれば当該起動されているアプリケーションを終了させる終了処理を、実行する、終了手段と、
前記標準設定データ記憶手段から前記個別設定データを削除し、前記退避用記憶手段に記憶されている前記一時設定データを前記標準設定記憶手段に記憶させる、復元処理を実行する、復元手段と、を有し、
前記受付手段は、前記復元処理の後に、前記識別子を受け付ける、
請求項１ないし請求項４のいずれかに記載の携帯情報端末。
【請求項６】
前記受付手段は、入力用の画面である入力画面をディスプレイに表示し、入力された情報を前記識別子として受け付ける、
請求項１ないし請求項５のいずれかに記載の携帯情報端末。
【請求項７】
前記置換手段は、前記個別設定データそのものの代わりに当該個別設定データのシンボリックリンクを前記標準設定データ記憶手段に記憶させる、
請求項１ないし請求項６のいずれかに記載の携帯情報端末。
【請求項８】
画像形成装置と、前記画像形成装置と通信することができる携帯情報端末と、を有する情報管理システムであって、
前記携帯情報端末は、
設定に関するデータである標準設定データとして予め一時設定データを記憶する標準設定データ記憶手段と、
ユーザごとに、個別の設定に関する個別設定データを当該ユーザの識別子と対応付けて記憶する、個別設定データ記憶手段と、
前記標準設定データ記憶手段に記憶されている前記標準設定データに基づいて特定の処理を実行する制御手段と、
前記識別子を受け付ける受付手段と、
前記一時設定データを退避用記憶手段へ移動させ、前記受付手段によって受け付けられた前記識別子に対応付けられて前記個別設定データ記憶手段に記憶されている前記個別設定データを前記標準設定データとして前記標準設定データ記憶手段に記憶させる、置換手段と、
を有する、
ことを特徴とする情報管理システム。
【請求項９】
前記携帯情報端末は、
他の装置から受信したデータである受信データを記憶する標準受信データ記憶手段、
を有し、
前記画像形成装置は、
前記標準受信データ記憶手段へ宛ててデータを送信する送信手段、
を有し、
前記携帯情報端末は、さらに、
前記携帯情報端末から受信したデータを前記受信データとして前記標準受信データ記憶手段に記憶させる記憶処理手段と、
所定のコマンドが入力された際に、前記標準受信データ記憶手段に記憶されている前記データを前記受付手段によって受け付けられた前記識別子に対応する個人用の記憶領域へ移動させる移動処理手段と、
を有する、
請求項８に記載の情報管理システム。
【請求項１０】
前記携帯情報端末は、
送信する対象のデータである送信用データを記憶する標準送信用データ記憶手段と、
前記ユーザごとに個別に用意された個別送信用データ記憶手段と、
第二のコマンドが入力された場合に、前記受付手段によって受け付けられた前記識別子の前記ユーザの前記個別送信用データ記憶手段に記憶されているデータを、前記送信用データとして前記標準送信用データ記憶手段に記憶させる送信準備処理手段と、
を有し、
前記画像形成装置は、
前記標準送信用データ記憶手段に記憶されている前記送信用データを取得するデータ取得手段、
を有し、
前記携帯情報端末は、さらに、
第二のコマンドが入力された場合に、前記標準送信用データ記憶手段から前記送信用データを削除する削除処理手段、
を有する、
請求項８または請求項９に記載の情報管理システム。
【請求項１１】
複数のユーザによる携帯情報端末の共有方法であって、
設定に関するデータである標準設定データとして予め一時設定データを標準設定データ記憶手段に記憶させておき、
ユーザごとに、個別の設定に関する個別設定データを当該ユーザの識別子と対応付けて個別設定データ記憶手段に記憶させておき、
前記標準設定データ記憶手段に記憶されている前記標準設定データに基づいて特定の処理を携帯情報端末に実行させ、
前記識別子を受け付ける処理を前記携帯情報端末に実行させ、
前記一時設定データを退避用記憶手段へ移動させ、前記受付手段によって受け付けられた前記識別子に対応付けられて前記個別設定データ記憶手段に記憶されている前記個別設定データを前記標準設定データとして前記標準設定データ記憶手段に記憶させる、置換処理を、前記携帯情報端末に実行させる、
ことを特徴とする携帯情報端末の共有方法。
【請求項１２】
他の装置から受信したデータである受信データを記憶する標準受信データ記憶手段と、前記ユーザごとの個別受信データ記憶手段と、を前記携帯情報端末に設けておき、
第一のコマンドが入力された場合に、前記標準受信データ記憶手段に記憶されている前記受信データを、前記受付手段によって受け付けられた前記識別子の前記ユーザの前記個別受信データ記憶手段へ移動させる、移動処理を、前記携帯情報端末に実行させる、
請求項１１に記載の携帯情報端末の共有方法。
【請求項１３】
送信する対象のデータである送信用データを記憶する標準送信用データ記憶手段と、前記ユーザごとの個別送信用データ記憶手段と、を前記携帯情報端末に設けておき、
第二のコマンドが入力された場合に、前記受付手段によって受け付けられた前記識別子の前記ユーザの前記個別送信用データ記憶手段に記憶されているデータを、前記送信用データとして前記標準送信用データ記憶手段に記憶させる送信準備処理を、前記携帯情報端末に実行させ、
前記標準送信用データ記憶手段に記憶されている前記送信用データを他の装置へ送信する送信処理を、前記携帯情報端末に実行させ、
第二のコマンドが入力された場合に、前記標準送信用データ記憶手段から前記送信用データを削除する削除処理を、前記携帯情報端末に実行させる、
請求項１１または請求項１２に記載の携帯情報端末の共有方法。
【請求項１４】
設定に関するデータである標準設定データとして予め一時設定データを記憶する標準設定データ記憶手段と、ユーザごとに、個別の設定に関する個別設定データを当該ユーザの識別子と対応付けて記憶する、個別設定データ記憶手段と、を有する携帯情報端末に用いられるコンピュータプログラムであって、
前記携帯情報端末に、
前記識別子を受け付ける受付処理を実行させ、
前記一時設定データを退避用記憶手段へ移動させ、受け付けた前記識別子に対応付けられて前記個別設定データ記憶手段に記憶されている前記個別設定データを前記標準設定データとして前記標準設定データ記憶手段に記憶させる、置換処理を実行させ、
前記標準設定データ記憶手段に記憶されている前記標準設定データに基づいて特定の処理を実行させる、
ことを特徴とするコンピュータプログラム。
【請求項１５】
前記携帯情報端末は、さらに、他の装置から受信したデータである受信データを記憶する標準受信データ記憶手段と、前記ユーザごとに個別に用意された個別受信データ記憶手段と、を有しており、
前記携帯情報端末に、さらに、
第一のコマンドが入力された場合に、前記標準受信データ記憶手段に記憶されている前記受信データを、前記受付手段によって受け付けられた前記識別子の前記ユーザの前記個別受信データ記憶手段へ移動する、移動処理を実行させる、
請求項１４に記載のコンピュータプログラム。
【請求項１６】
前記携帯情報端末は、さらに、送信する対象のデータである送信用データを記憶する標準送信用データ記憶手段と、前記ユーザごとに個別に用意された個別送信用データ記憶手段と、を有しており、
前記携帯情報端末に、さらに、
第二のコマンドが入力された場合に、前記受付手段によって受け付けられた前記識別子の前記ユーザの前記個別送信用データ記憶手段に記憶されているデータを、前記送信用データとして前記標準送信用データ記憶手段に記憶させる送信準備処理を実行させ、
前記標準送信用データ記憶手段に記憶されている前記送信用データを他の装置へ送信する送信処理を実行させ、
第二のコマンドが入力された場合に、前記標準送信用データ記憶手段から前記送信用データを削除する削除処理を実行させる、
請求項１４または請求項１５に記載のコンピュータプログラム。
【手続補正３】
【補正対象書類名】明細書
【補正対象項目名】００１１
【補正方法】変更
【補正の内容】
【００１１】
本発明の一形態に係る携帯情報端末は、設定に関するデータである標準設定データとして予め一時設定データを記憶する標準設定データ記憶手段と、ユーザごとに、個別の設定に関する個別設定データを当該ユーザの識別子と対応付けて記憶する、個別設定データ記憶手段と、前記標準設定データ記憶手段に記憶されている前記標準設定データに基づいて特定の処理を実行する制御手段と、前記識別子を受け付ける受付手段と、前記一時設定データを退避用記憶手段へ移動させ、前記受付手段によって受け付けられた前記識別子に対応付けられて前記個別設定データ記憶手段に記憶されている前記個別設定データを前記標準設定データとして前記標準設定データ記憶手段に記憶させる、置換手段と、を有する。
【手続補正４】
【補正対象書類名】明細書
【補正対象項目名】００１２
【補正方法】変更
【補正の内容】
【００１２】
好ましくは、他の装置から受信したデータである受信データを記憶する標準受信データ記憶手段と、前記ユーザごとに個別に用意された個別受信データ記憶手段と、第一のコマンドが入力された場合に、前記標準受信データ記憶手段に記憶されている前記受信データを、前記受付手段によって受け付けられた前記識別子の前記ユーザの前記個別受信データ記憶手段へ移動させる、移動処理手段と、を有する。
【手続補正５】
【補正対象書類名】明細書
【補正対象項目名】００１３
【補正方法】変更
【補正の内容】
【００１３】
または、送信する対象のデータである送信用データを記憶する標準送信用データ記憶手段と、前記ユーザごとに個別に用意された個別送信用データ記憶手段と、第二のコマンドが入力された場合に、前記受付手段によって受け付けられた前記識別子の前記ユーザの前記個別送信用データ記憶手段に記憶されているデータを、前記送信用データとして前記標準送信用データ記憶手段に記憶させる送信準備処理手段と、前記標準送信用データ記憶手段に記憶されている前記送信用データを他の装置へ送信する送信手段と、第二のコマンドが入力された場合に、前記標準送信用データ記憶手段から前記送信用データを削除する削除処理手段と、を有する。
【手続補正６】
【補正対象書類名】明細書
【補正対象項目名】００１４
【補正方法】変更
【補正の内容】
【００１４】
または、前記制御手段は、前記特定の処理として、複数のアプリケーションのうちの１つを選択するための画面である選択画面を表示する処理を、前記置換処理の後に実行する。
【手続補正７】
【補正対象書類名】明細書
【補正対象項目名】００１５
【補正方法】変更
【補正の内容】
【００１５】
または、第三のコマンドが入力された場合に、複数のアプリケーションのうちのいずれかが起動されているのであれば当該起動されているアプリケーションを終了させる終了処理を、実行する、終了手段と、前記標準設定データ記憶手段から前記個別設定データを削除し、前記退避用記憶手段に記憶されている前記一時設定データを前記標準設定記憶手段に記憶させる、復元処理を実行する、復元手段と、を有し、前記受付手段は、前記復元処理の後に、前記識別子を受け付ける。
【手続補正８】
【補正対象書類名】明細書
【補正対象項目名】００１６
【補正方法】変更
【補正の内容】
【００１６】
または、前記受付手段は、入力用の画面である入力画面をディスプレイに表示し、入力された情報を前記識別子として受け付ける。
【手続補正９】
【補正対象書類名】明細書
【補正対象項目名】００１７
【補正方法】変更
【補正の内容】
【００１７】
または、前記置換手段は、前記個別設定データそのものの代わりに当該個別設定データのシンボリックリンクを前記標準設定データ記憶手段に記憶させる。
【手続補正１０】
【補正対象書類名】明細書
【補正対象項目名】００１８
【補正方法】削除
【補正の内容】
【手続補正書】
【提出日】平成25年8月23日(2013.8.23)
【手続補正１】
【補正対象書類名】特許請求の範囲
【補正対象項目名】全文
【補正方法】変更
【補正の内容】
【特許請求の範囲】
【請求項１】
設定に関するデータである標準設定データとして予め一時設定データを記憶する標準設定データ記憶手段と、
ユーザごとに、個別の設定に関する個別設定データを当該ユーザの識別子と対応付けて記憶する、個別設定データ記憶手段と、
前記標準設定データ記憶手段に記憶されている前記標準設定データに基づいて特定の処理を実行する制御手段と、
前記識別子を受け付ける受付手段と、
前記一時設定データを退避用記憶手段へ移動させ、前記受付手段によって受け付けられた前記識別子に対応付けられて前記個別設定データ記憶手段に記憶されている前記個別設定データを前記標準設定データとして前記標準設定データ記憶手段に記憶させる、置換手段と、
を有することを特徴とする携帯情報端末。
【請求項２】
他の装置から受信したデータである受信データを記憶する標準受信データ記憶手段と、
前記ユーザごとに個別に用意された個別受信データ記憶手段と、
第一のコマンドが入力された場合に、前記標準受信データ記憶手段に記憶されている前記受信データを、前記受付手段によって受け付けられた前記識別子の前記ユーザの前記個別受信データ記憶手段へ移動させる、移動処理手段と、を有する、
請求項１に記載の携帯情報端末。
【請求項３】
送信する対象のデータである送信用データを記憶する標準送信用データ記憶手段と、
前記ユーザごとに個別に用意された個別送信用データ記憶手段と、
前記受付手段によって受け付けられた前記識別子の前記ユーザの前記個別送信用データ記憶手段に記憶されているデータを、前記送信用データとして前記標準送信用データ記憶手段に記憶させる送信準備処理手段と、
前記標準送信用データ記憶手段に記憶されている前記送信用データを他の装置へ送信する送信手段と、
第二のコマンドが入力された場合に、前記標準送信用データ記憶手段から前記送信用データを削除する削除処理手段と、を有する、
請求項１または請求項２に記載の携帯情報端末。
【請求項４】
前記制御手段は、前記特定の処理として、複数のアプリケーションのうちの１つを選択するための画面である選択画面を表示する処理を、前記置換処理の後に実行する、
請求項１ないし請求項３のいずれかに記載の携帯情報端末。
【請求項５】
第三のコマンドが入力された場合に、複数のアプリケーションのうちのいずれかが起動されているのであれば当該起動されているアプリケーションを終了させる終了処理を、実行する、終了手段と、
前記標準設定データ記憶手段から前記個別設定データを削除し、前記退避用記憶手段に記憶されている前記一時設定データを前記標準設定記憶手段に記憶させる、復元処理を実行する、復元手段と、を有する、
請求項１ないし請求項４のいずれかに記載の携帯情報端末。
【請求項６】
前記受付手段は、入力用の画面である入力画面をディスプレイに表示し、入力された情報を前記識別子として受け付ける、
請求項１ないし請求項５のいずれかに記載の携帯情報端末。
【請求項７】
前記置換手段は、前記個別設定データそのものの代わりに当該個別設定データのシンボリックリンクを前記標準設定データ記憶手段に記憶させる、
請求項１ないし請求項６のいずれかに記載の携帯情報端末。
【請求項８】
画像形成装置と、前記画像形成装置と通信することができる携帯情報端末と、を有する情報管理システムであって、
前記携帯情報端末は、
設定に関するデータである標準設定データとして予め一時設定データを記憶する標準設定データ記憶手段と、
ユーザごとに、個別の設定に関する個別設定データを当該ユーザの識別子と対応付けて記憶する、個別設定データ記憶手段と、
前記標準設定データ記憶手段に記憶されている前記標準設定データに基づいて特定の処理を実行する制御手段と、
前記識別子を受け付ける受付手段と、
前記一時設定データを退避用記憶手段へ移動させ、前記受付手段によって受け付けられた前記識別子に対応付けられて前記個別設定データ記憶手段に記憶されている前記個別設定データを前記標準設定データとして前記標準設定データ記憶手段に記憶させる、置換手段と、
を有する、
ことを特徴とする情報管理システム。
【請求項９】
前記携帯情報端末は、
他の装置から受信したデータである受信データを記憶する標準受信データ記憶手段、
を有し、
前記画像形成装置は、
前記標準受信データ記憶手段へ宛ててデータを送信する送信手段、
を有し、
前記携帯情報端末は、さらに、
前記携帯情報端末から受信したデータを前記受信データとして前記標準受信データ記憶手段に記憶させる記憶処理手段と、
所定のコマンドが入力された際に、前記標準受信データ記憶手段に記憶されている前記データを前記受付手段によって受け付けられた前記識別子に対応する個人用の記憶領域へ移動させる移動処理手段と、
を有する、
請求項８に記載の情報管理システム。
【請求項１０】
前記携帯情報端末は、
送信する対象のデータである送信用データを記憶する標準送信用データ記憶手段と、
前記ユーザごとに個別に用意された個別送信用データ記憶手段と、
前記受付手段によって受け付けられた前記識別子の前記ユーザの前記個別送信用データ記憶手段に記憶されているデータを、前記送信用データとして前記標準送信用データ記憶手段に記憶させる送信準備処理手段と、
を有し、
前記画像形成装置は、
前記標準送信用データ記憶手段に記憶されている前記送信用データを取得するデータ取得手段、
を有し、
前記携帯情報端末は、さらに、
第二のコマンドが入力された場合に、前記標準送信用データ記憶手段から前記送信用データを削除する削除処理手段、
を有する、
請求項８または請求項９に記載の情報管理システム。
【請求項１１】
複数のユーザによる携帯情報端末の共有方法であって、
設定に関するデータである標準設定データとして予め一時設定データを標準設定データ記憶手段に記憶させておき、
ユーザごとに、個別の設定に関する個別設定データを当該ユーザの識別子と対応付けて個別設定データ記憶手段に記憶させておき、
前記標準設定データ記憶手段に記憶されている前記標準設定データに基づいて特定の処理を携帯情報端末に実行させ、
前記識別子を受け付ける処理を前記携帯情報端末に実行させ、
前記一時設定データを退避用記憶手段へ移動させ、前記受付手段によって受け付けられた前記識別子に対応付けられて前記個別設定データ記憶手段に記憶されている前記個別設定データを前記標準設定データとして前記標準設定データ記憶手段に記憶させる、置換処理を、前記携帯情報端末に実行させる、
ことを特徴とする携帯情報端末の共有方法。
【請求項１２】
他の装置から受信したデータである受信データを記憶する標準受信データ記憶手段と、前記ユーザごとの個別受信データ記憶手段と、を前記携帯情報端末に設けておき、
第一のコマンドが入力された場合に、前記標準受信データ記憶手段に記憶されている前記受信データを、前記受付手段によって受け付けられた前記識別子の前記ユーザの前記個別受信データ記憶手段へ移動させる、移動処理を、前記携帯情報端末に実行させる、
請求項１１に記載の携帯情報端末の共有方法。
【請求項１３】
送信する対象のデータである送信用データを記憶する標準送信用データ記憶手段と、前記ユーザごとの個別送信用データ記憶手段と、を前記携帯情報端末に設けておき、
前記受付手段によって受け付けられた前記識別子の前記ユーザの前記個別送信用データ記憶手段に記憶されているデータを、前記送信用データとして前記標準送信用データ記憶手段に記憶させる送信準備処理を、前記携帯情報端末に実行させ、
前記標準送信用データ記憶手段に記憶されている前記送信用データを他の装置へ送信する送信処理を、前記携帯情報端末に実行させ、
第二のコマンドが入力された場合に、前記標準送信用データ記憶手段から前記送信用データを削除する削除処理を、前記携帯情報端末に実行させる、
請求項１１または請求項１２に記載の携帯情報端末の共有方法。
【請求項１４】
設定に関するデータである標準設定データとして予め一時設定データを記憶する標準設定データ記憶手段と、ユーザごとに、個別の設定に関する個別設定データを当該ユーザの識別子と対応付けて記憶する、個別設定データ記憶手段と、を有する携帯情報端末に用いられるコンピュータプログラムであって、
前記携帯情報端末に、
前記識別子を受け付ける受付処理を実行させ、
前記一時設定データを退避用記憶手段へ移動させ、受け付けた前記識別子に対応付けられて前記個別設定データ記憶手段に記憶されている前記個別設定データを前記標準設定データとして前記標準設定データ記憶手段に記憶させる、置換処理を実行させ、
前記標準設定データ記憶手段に記憶されている前記標準設定データに基づいて特定の処理を実行させる、
ことを特徴とするコンピュータプログラム。
【請求項１５】
前記携帯情報端末は、さらに、他の装置から受信したデータである受信データを記憶する標準受信データ記憶手段と、前記ユーザごとに個別に用意された個別受信データ記憶手段と、を有しており、
前記携帯情報端末に、さらに、
第一のコマンドが入力された場合に、前記標準受信データ記憶手段に記憶されている前記受信データを、前記受付手段によって受け付けられた前記識別子の前記ユーザの前記個別受信データ記憶手段へ移動する、移動処理を実行させる、
請求項１４に記載のコンピュータプログラム。
【請求項１６】
前記携帯情報端末は、さらに、送信する対象のデータである送信用データを記憶する標準送信用データ記憶手段と、前記ユーザごとに個別に用意された個別送信用データ記憶手段と、を有しており、
前記携帯情報端末に、さらに、
前記受付手段によって受け付けられた前記識別子の前記ユーザの前記個別送信用データ記憶手段に記憶されているデータを、前記送信用データとして前記標準送信用データ記憶手段に記憶させる送信準備処理を実行させ、
前記標準送信用データ記憶手段に記憶されている前記送信用データを他の装置へ送信する送信処理を実行させ、
第二のコマンドが入力された場合に、前記標準送信用データ記憶手段から前記送信用データを削除する削除処理を実行させる、
請求項１４または請求項１５に記載のコンピュータプログラム。
【手続補正２】
【補正対象書類名】明細書
【補正対象項目名】００１３
【補正方法】変更
【補正の内容】
【００１３】
または、送信する対象のデータである送信用データを記憶する標準送信用データ記憶手段と、前記ユーザごとに個別に用意された個別送信用データ記憶手段と、前記受付手段によって受け付けられた前記識別子の前記ユーザの前記個別送信用データ記憶手段に記憶されているデータを、前記送信用データとして前記標準送信用データ記憶手段に記憶させる送信準備処理手段と、前記標準送信用データ記憶手段に記憶されている前記送信用データを他の装置へ送信する送信手段と、第二のコマンドが入力された場合に、前記標準送信用データ記憶手段から前記送信用データを削除する削除処理手段と、を有する。
【手続補正３】
【補正対象書類名】明細書
【補正対象項目名】００１５
【補正方法】変更
【補正の内容】
【００１５】
または、第三のコマンドが入力された場合に、複数のアプリケーションのうちのいずれかが起動されているのであれば当該起動されているアプリケーションを終了させる終了処理を、実行する、終了手段と、前記標準設定データ記憶手段から前記個別設定データを削除し、前記退避用記憶手段に記憶されている前記一時設定データを前記標準設定記憶手段に記憶させる、復元処理を実行する、復元手段と、を有する。